(57)【要約】【課題】      事前に撮影画像の状況を把握できるカメラシステム等を提供する。【解決手段】  カメラシステムを、光学系の状態に応じて鏡筒外形と光学特性の少なくとも一方が変化するレンズ鏡筒部２０１と、光学系の状態を検出する光学系状態検出部２０５と、光学系の状態に対応する鏡筒外形と光学特性の少なくとも一方に関するレンズデータを有するレンズデータ記憶部２０４と、レンズデータ記憶部２０４に記憶されたレンズデータに基づいて、予め撮影画像の状況を判定する画像状況判定部１０１と、画像状況判定部１０１によって判定された撮影画像の状況を表示する表示部１１０とを備えるようにする。【選択図】  図１
2005258202.tif 000002
【特許請求の範囲】
【請求項１】
光学系の状態に応じて鏡筒外形と光学特性の少なくとも一方が変化するレンズ鏡筒部と、
前記光学系の状態を検出する光学系状態検出部と、
前記光学系の状態に対応する鏡筒外形と光学特性の少なくとも一方に関するレンズデータを有するレンズデータ記憶部と、
前記レンズデータ記憶部に記憶されたレンズデータに基づいて、予め撮影画像の状況を判定する画像状況判定部と、
前記画像状況判定部によって判定された撮影画像の状況を表示する表示部と
を備えるカメラシステム。
【請求項２】
請求項１に記載のカメラシステムにおいて、
アクセサリを用いて撮影可能であり、該アクセサリを用いた撮影状態を識別する識別手段を備え、
前記画像状況判定部は、前記撮影状態と前記レンズデータとに基づいて、前記撮影画像の状況を判定すること
を特徴とするカメラシステム。
【請求項３】
請求項２に記載のカメラシステムにおいて、
前記アクセサリとして前記レンズ鏡筒部に装着可能に構成されたアクセサリを装着した時の、前記レンズデータの補正情報を有する補正情報記憶部を備え、
前記画像状況判定部は、前記補正情報に基づいて、前記アクセサリを装着して撮影した時の前記撮影画像の状況を判定すること
を特徴とするカメラシステム。
【請求項４】
請求項１から請求項３までのいずれか１項に記載のカメラシステムにおいて、
閃光発光装置が備えられ、
前記レンズデータは、前記鏡筒外形に関するデータであり、
前記画像状況判定部は、前記鏡筒外形に関するデータと、前記閃光発光装置の発光部の状態とに基づいて、前記閃光発光装置の照射光が前記レンズ鏡筒によって遮られる影部の態様を判定し、
前記表示部は、撮影画像上における前記影部の態様を画像表示すること
を特徴とするカメラシステム。
【請求項５】
請求項１から請求項３までのいずれか１項に記載のカメラシステムにおいて、
前記レンズデータは、画像の周辺光量低下、歪曲収差、イメージサークルの少なくとも１つに関するデータを含み、
前記画像状況判定部は、撮影時の絞り値に対応する前記周辺光量低下、歪曲収差、イメージサークルの少なくとも１つに関するデータに基づいて、前記撮影画像の状況を判定すること
を特徴とするカメラシステム。
【請求項６】
撮影レンズ鏡筒を着脱可能なカメラボディにおいて、
装着される撮影レンズ鏡筒から、該レンズ鏡筒が有する鏡筒外形と光学特性との少なくとも一方に関するレンズデータを入力する入力部と、
前記レンズデータに基づいて、予め撮影画像の状況を判定する画像状況判定部と、
前記画像状況判定部によって判定された撮影画像の状況を表示する表示部と
を備えるカメラボディ。
【請求項７】
請求項６に記載のカメラボディにおいて、
前記入力部は、前記撮影レンズ鏡筒に装着可能に構成されたアクセサリを装着した時の、前記レンズデータの補正情報を入力し、
前記画像情報判定部は、前記補正情報に基づいて、前記アクセサリを装着して撮影した時の前記撮影画像の状況を判定すること
を特徴とするカメラボディ。
【請求項８】
カメラボディに着脱可能に構成された撮影レンズ鏡筒において、
光学系の状態に応じて鏡筒外形と光学特性の少なくとも一方が変化するレンズ鏡筒部と、
前記光学系の状態を検出する光学系状態検出部と、前記光学系の状態に対応する鏡筒外形と光学特性の少なくとも一方に関するレンズデータを有するレンズデータ記憶部と
を備える撮影レンズ鏡筒。
【請求項９】
請求項８に記載の撮影レンズ鏡筒において、
前記レンズ鏡筒部に装着可能に構成されたアクセサリを装着した時の、前記レンズデータの補正情報を記憶する補正情報記憶部をさらに備えたこと
を特徴とする撮影レンズ鏡筒。
【請求項１０】
カメラに装着可能な閃光発光装置において、
閃光を発生する発光部と、前記発光部の発光位置と発光状態との少なくとも一方に関する情報を前記カメラに伝達する伝達部と
を備えた閃光発光装置。
【発明の詳細な説明】
【技術分野】
【０００１】
本発明は、カメラシステム、カメラボディ、撮影レンズ鏡筒及び閃光発光装置に関するものである。
【背景技術】
【０００２】
例えばレンズ交換式デジタル一眼レフ等のカメラにおいて、撮影目的や作画意図に応じて、アクセサリがレンズ鏡筒の対物側又はレンズ鏡筒の像側とカメラボディとの間に装着される。このようなアクセサリとして、例えば、以下のものが挙げられる。
【０００３】
ａ．  フードは、画角外からの不要な光線を遮り、フレアやゴーストの発生を防止するため、必要に応じて、レンズ鏡筒の対物側に装着される。
ｂ．  フィルタは、レンズへの入射光のうち特定の波長の光をカットしたり、又は、色調を補正する等の目的に応じて、レンズ鏡筒の対物側に装着される。
ｃ．  クローズアップレンズは、接写用の補助レンズとして、レンズ鏡筒の対物側に装着される。
ｄ．  テレコンバータは、組み合わされるレンズとの合成焦点距離を長くする補助レンズを備え、レンズ交換式カメラの場合は、通常はレンズ鏡筒の像側とカメラボディとの間に装着されるが、レンズ一体型カメラでは、レンズ鏡筒の対物側に装着されることもある。
ｅ．  ワイドコンバータ及びフィッシュアイコンバータは、組み合わされるレンズとの合成焦点距離を短くする補助レンズを備え、通常はレンズ鏡筒の対物側に装着される。
ｆ．  エクステンションチューブ（「中間リング」とも称される。）及びベローズは、接写を可能とするため、レンズ交換式カメラのレンズ鏡筒の像側とカメラボディとの間に装着される。
【０００４】
上述したアクセサリは、レンズ鏡筒との組合せ、又は、ズームレンズの焦点距離等によっては、撮影に必要な光線を遮り、画面上の光量を部分的に低下させる場合がある。このような現象は、「ケラレ」と通称される。
例えば、レンズフードは、ズームレンズに装着すると、ある焦点距離では問題なく使用できるが、それよりも広角側の他の焦点距離では、レンズへの入射光を遮り、画面の四隅にケラレが生ずることがある。
また、フィルタは、広角レンズに用いると、そのフィルタ枠がレンズへの入射光を遮り、画面の四隅にケラレが生ずることがある。
このようなケラレは、ファインダ像を観察すれば予め発見可能な場合もあるが、確実にこれを発見することは困難である。
【０００５】
一方、閃光発光装置（「ストロボ」、「フラッシュ」又は「スピードライト」とも称される。）は、必要に応じて、撮影用の補助光源として用いられ、通常はカメラの上部又は前面部に備えられる。
閃光発光装置を使用時に、その照射光をレンズ鏡筒やフード等のアクセサリが遮った影部は、レンズ鏡筒の外形、アクセサリの外形及び焦点距離（撮影画角）により、撮影画像に写りこむことがある。このように、撮影画像に写った影部もまた、「ケラレ」と通称される。
【０００６】
レンズ鏡筒の外形は、ズーミングやフォーカシングに伴う長さの変化や、それが交換式のものである場合は各レンズの種類によって異なっており、このような閃光発光装置に起因するケラレは、特に、焦点距離が連続的に変化するズームレンズにおいて、特定の焦点距離の範囲で生ずることが多い。
【０００７】
閃光発光装置に起因するケラレは、撮影に先立ち、ファインダを観察しても視認することができないから、実際に撮影をするまでは、画面上のケラレの発生有無及びその態様を予測することは困難である。
【０００８】
従来、レンズ交換式カメラの交換レンズとカメラとを通信可能とし、レンズ側の記憶手段に記憶された焦点距離及び開放絞り値をカメラ側に伝達するものがあった（例えば、特許文献１。）。
【０００９】
また、自動焦点（ＡＦ）カメラの測拒センサの誤作動を防止する目的で、交換レンズの射出瞳径及び射出瞳位置に関するデータをカメラボディに送信するものがあった（例えば、特許文献２。）。
【００１０】
さらに、レンズ交換式カメラボディに、不適合なレンズが装着されることを防止する目的で、レンズが保有する識別データをカメラボディに送信するものがあった（例えば、特許文献３。）。
【００１１】
しかし、上述した従来技術は、撮影前に、撮影される画像のケラレ等を把握することについて、考慮されていない。撮影前に、予めケラレ等を把握することができれば、ケラレが発生しない撮影条件に変更するか、又は、ケラレが生じても、トリミングをすれば問題ない程度のものか、判断することができる。
【特許文献１】特開平５−２１０１４３号公報
【特許文献２】特開昭６３−２８６８１１号公報
【特許文献３】特開２００３−２２８１１３号公報
【発明の開示】
【発明が解決しようとする課題】
【００１２】
本発明の課題は、事前に撮影画像の状況を把握できるカメラシステム、カメラボディ、交換レンズ及び閃光発光装置を提供することである。
【課題を解決するための手段】
【００１３】
本発明は、以下のような解決手段により、前記課題を解決する。なお、理解を容易にするために、本発明の実施例に対応する符号を付して説明するが、これに限定されるものではない。
【００１４】
請求項１の発明は、光学系の状態に応じて鏡筒外形と光学特性の少なくとも一方が変化するレンズ鏡筒部（２０１）と、前記光学系の状態を検出する光学系状態検出部（２０５）と、前記光学系の状態に対応する鏡筒外形と光学特性の少なくとも一方に関するレンズデータを有するレンズデータ記憶部（２０４）と、前記レンズデータ記憶部（２０４）に記憶されたレンズデータに基づいて、予め撮影画像の状況を判定する画像状況判定部（１０１）と、前記画像状況判定部（１０１）によって判定された撮影画像の状況を表示する表示部（１１０）とを備えるカメラシステムである。
【００１５】
請求項２の発明は、請求項１に記載のカメラシステムにおいて、アクセサリ（２１０）を用いて撮影可能であり、該アクセサリ（２１０）を用いた撮影状態を識別する識別手段（２０６）を備え、前記画像状況判定部（１０１）は、前記撮影状態と前記レンズデータとに基づいて、前記撮影画像の状況を判定することを特徴とするカメラシステム。
【００１６】
請求項３の発明は、請求項２に記載のカメラシステムにおいて、前記アクセサリとして前記レンズ鏡筒部（２００）に装着可能なアクセサリ（２１０）を装着した時の、前記レンズデータの補正情報を有する補正情報記憶部（２０７）を備え、前記画像状況判定部（１０１）は、前記補正情報に基づいて、前記アクセサリ（２１０）を装着して撮影した時の前記撮影画像の状況を判定することを特徴とするカメラシステムである。
【００１７】
請求項４の発明は、請求項１から請求項３までのいずれか１項に記載のカメラシステムにおいて、閃光発光装置（３００）が備えられ、前記レンズデータは、前記鏡筒外形に関するデータであり、前記画像状況判定部（１０１）は、前記鏡筒外形に関するデータと、前記閃光発光装置（３００）の発光部（３０１）の状態とに基づいて、前記閃光発光装置（３００）の照射光が前記レンズ鏡筒（２０１）によって遮られる影部の態様を判定し、前記表示部（１１０）は、撮像画像上における前記影部の態様を画像表示することを特徴とするカメラシステムである。
【００１８】
請求項５の発明は、請求項１から請求項３までのいずれか１項に記載のカメラシステムにおいて、前記レンズデータは、画像の周辺光量低下、歪曲収差、イメージサークルの少なくとも１つに関するデータを含み、前記画像状況判定部は、撮影時の絞り値に対応する前記周辺光量低下、歪曲収差、イメージサークルの少なくとも１つに関するデータに基づいて、前記撮影画像の状況を判定することを特徴とするカメラシステムである。
【００１９】
請求項６の発明は、撮影レンズ鏡筒（２００）を着脱可能なカメラボディ（１００）において、装着されるレンズ鏡筒（２００）から、該レンズ鏡筒（２００）が有する鏡筒外形と光学特性との少なくとも一方に関するレンズデータを入力する入力部（１０４）と、前記レンズデータに基づいて、予め撮影画像の状況を判定する画像状況判定部（１０１）と、前記画像状況判定部（１０１）によって判定された撮影画像の状況を表示する表示部（１１０）とを備えるカメラボディである。
【００２０】
請求項７の発明は、請求項６に記載のカメラボディ（１００）において、前記入力部（１０４）は、前記撮影レンズ鏡筒（２００）に装着可能に構成されたアクセサリ（２１０）を装着した時の、前記レンズデータの補正情報を入力し、前記画像情報判定部（１０１）は、前記補正情報に基づいて、前記アクセサリ（２１０）を装着して撮影した時の前記撮影画像の状況を判定することを特徴とするカメラボディである。
【００２１】
請求項８の発明は、カメラボディ（１００）に着脱可能に構成された撮影レンズ鏡筒（２００）において、光学系の状態に応じて鏡筒外形と光学特性の少なくとも一方が変化するレンズ鏡筒部（２０１）と、前記光学系の状態を検出する光学系状態検出部（２０５）と、前記光学系の状態に対応する鏡筒外形と光学特性の少なくとも一方に関するレンズデータを有するレンズデータ記憶部（２０４）とを備える撮影レンズ鏡筒である。
【００２２】
請求項９の発明は、請求項８に記載の撮影レンズ鏡筒（２００）において、前記レンズ鏡筒部（２０１）に装着可能に構成されたアクセサリ（２１０）を装着した時の、前記レンズデータの補正情報を記憶する補正情報記憶部（２０７）をさらに備えたことを特徴とする撮影レンズ鏡筒である。
【００２３】
請求項１０の発明は、カメラ（１００）に装着可能な閃光発光装置（３００）において、閃光を発生する発光部（３０１）と、前記発光部（３０１）の発光位置と発光状態との少なくとも一方に関する情報を前記カメラ（１００）に伝達する伝達部（３０５）とを備えた閃光発光装置である。
【発明の効果】
【００２４】
本発明によれば、以下のような効果を奏することができる。
（１）  光学系の状態に対応する鏡筒外形と光学特性の少なくとも一方に関するレンズデータに基づいて、予め撮影画像の状況を判定し、これを表示するから、例えば、ケラレ、周辺光量低下、歪曲収差、イメージサークル不足等の発生を、使用者に事前に知らせることができる。
（２）  アクセサリを用いた撮影状態を識別し、この撮影状態に基づいて撮影画像の状況を判定しているから、アクセサリの使用に起因するケラレ等の発生を、使用者に事前に知らせることができる。
（３）  レンズ鏡筒部にアクセサリを装着した時に、レンズデータの補正情報に基づいて画像の状況を判定しているから、アクセサリの使用に起因するケラレ等の態様の変化を、使用者に事前に知らせることができる
【発明を実施するための最良の形態】
【００２５】
本発明は、レンズ群の状態に応じて、鏡筒外形、周辺光量低下量、歪曲収差、イメージサークルの少なくとも１つが変化するレンズ鏡筒と、レンズ群の状態を検出する光学系状態センサと、レンズ群の状態に対応する鏡筒外形、周辺光量低下量、歪曲収差、イメージサークルの少なくとも１つに関するレンズ固有データを有するレンズ固有データメモリと、レンズ固有データメモリに記憶されたレンズ固有データに基づいて、予め撮影画像の状況を判定するカメラ中央処理装置（ＣＰＵ）と、カメラＣＰＵによって判定された撮影画像の状況を表示する液晶表示装置（ＬＣＤ）とを備えるカメラシステムによって上述した課題を解決する。
【実施例】
【００２６】
以下、図面等を参照して、本発明の実施例をあげて、さらに詳しく説明する。
図１は、本発明を適用したカメラシステムの実施例の構成を示す図である。このカメラシステムは、レンズ交換式一眼レフ形式のデジタルスチルカメラである。カメラシステムは、ボディ１００と、ズームレンズであるレンズ２００と、閃光発光装置（以下、「ＳＢ」と称する。）３００とを備えている。
【００２７】
ボディ１００は、カメラ中央処理装置（以下、「カメラＣＰＵ」と称する。）１０１と、撮影状態検出部１０２と、マウント１０３と、信号接点１０４と、アクセサリシュー１０５と、信号接点１０６と、ＳＢ検出部１０７と、撮像素子１０８と、ファインダ表示部１０９と、液晶表示装置（以下、「ＬＣＤ」と称する。）１１０と、外部記憶媒体１１１と、コネクタ１１２とを備えている。
【００２８】
カメラＣＰＵ１０１は、このカメラシステムの各部の制御を行ない、かつ後述する画像状況の判定をするものである。このカメラＣＰＵ１０１は、通信回線によって、上述した撮影状態検出部１０２、信号接点１０４、ＳＢ検出部１０７、撮像素子１０８、ファインダ表示部１０９及びＬＣＤ１１０とそれぞれ接続され、また、外部記憶媒体１１１と、コネクタ１１２を介して接続されている。
【００２９】
撮影状態検出部１０２は、例えば、撮影時の絞り値、シャッター速度及びＳＢ３００の発光有無等の撮影状態を検出し、これをカメラＣＰＵ１０１に伝達するセンサである。
マウント１０３は、ボディ１００の前面（対物側）に設けられ、バヨネット結合によってレンズ２００をボディ１００に固定する固定部である。
信号接点１０４は、マウント１０３に内蔵され、レンズ２００側とカメラＣＰＵ１０１との通信を中継するものである。
【００３０】
アクセサリシュー１０５は、ＳＢ３００を着脱自在に保持するものであり、ボディ１００の上部に設けられている。
信号接点１０６は、アクセサリシュー１０５に内蔵され、ＳＢ３００側とＳＢ検出部１０７との通信を中継するものである。
ＳＢ検出部１０７は、ＳＢ３００側と通信し、例えば、ＳＢ３００の発光部の位置、発光方向、照射角を含むＳＢ情報を検出し、これをカメラＣＰＵ１０１に伝達するセンサである。
【００３１】
撮像素子１０８は、レンズ２００が形成する投写像を、電気的な信号として出力する光−電気変換素子であり、例えば、ＣＣＤ、ＪＦＥＴ、ＣＭＯＳ等が用いられる。
ファインダ表示部１０９は、図示しないクイックリターンミラー及びペンタプリズム等の光学系を介して、レンズ２００の投写像を表示する表示部であり、また、この投写像の周辺部に、又は、投写像と重畳して、画像、記号又は文字等の情報を表示する図示しない情報表示部を備えている。
【００３２】
例えば、ＴＦＴ液晶であるＬＣＤ１１０は、撮影後に画像をモニターし、また、後に詳しく説明するように、例えば、開放時及び撮影時それぞれの絞り値、シャッター速度、焦点距離、被写体距離等の撮影情報を表示し、さらに、撮影に先立って、予測される画像の状況を表示する機能をもつ出力部である。
【００３３】
外部記憶媒体１１１は、撮影された画像のデータを記憶する記憶部であり、例えば、フラッシュメモリ等のＲＡＭ又は磁気ディスクドライブ装置を備え、コネクタ１１２を介してボディ１００から着脱可能に装着されている。
【００３４】
レンズ２００は、鏡筒２０１と、レンズ群２０２と、レンズ中央処理装置（以下、「レンズＣＰＵ」と称する。）２０３と、レンズ固有データメモリ２０４と、光学系状態センサ２０５と、アクセサリセンサ２０６と、アクセサリデータメモリ２０７と、マウント２０８と、信号接点２０９とを含み、さらに必要に応じてフード２１０が装着される。
【００３５】
鏡筒２０１は、円筒状に形成されてその内部にレンズ群２０２を収容し、レンズ群２０２のズーミング及びフォーカシングによってその全長が変化するものである。
レンズＣＰＵ２０３は、レンズ固有データメモリ２０４、光学系状態センサ２０５、アクセサリセンサ２０６及びアクセサリデータメモリ２０７と、通信回線によってそれぞれ接続され、これら各部から得た情報を処理する情報処理部である。このレンズＣＰＵ２０３は、信号接点２０９及び信号接点１０４を介してカメラＣＰＵ１０１と通信する機能を備えている。
【００３６】
レンズ固有データメモリ２０４は、レンズ２００に関する固有の情報を含むレンズ固有データベースを記憶する記憶部である。このレンズ固有データベースは、鏡筒外形データ、周辺光量低下データ、歪曲収差データ及びイメージサークルデータを有し、各データは、レンズ群２０２の焦点距離、被写体距離、絞り値に対するテーブルとして構成されている。さらに、レンズ固有データメモリ２０４は、レンズ２００の種類を特定する識別子、焦点距離及び開放絞り値を記憶している。
【００３７】
鏡筒外形データは、鏡筒の形状、外径及び全長に関するデータを含む。鏡筒の全長は、一般に、被写体距離が無限遠のときに最短となり、被写体距離が小さくなるにつれて長くなるが、一部に被写体距離を変えても鏡筒の全長が変化しないレンズもある。また、鏡筒の全長は、焦点距離の変化によっても変化し、一般に焦点距離を長くするほど大きくなるが、レンズ群２０２の構成及び焦点距離によっては、焦点距離を短くしたときに、長くなるものもある。
【００３８】
周辺光量データは、レンズ群２０２の光軸位置（画面中央）に対する、画面周辺における光量の低下に関するデータを含む。周辺光量の低下は、主として口径食及びコサインの四乗則に依存する。従って、周辺光量は、撮影時の絞り値が小さい（絞りが開かれている）ほど口径食の影響を受けやすいから低下し、また、焦点距離が短いほど、画角が大きくなりコサインの四乗則の影響が顕著となるから低下する。
【００３９】
歪曲収差データは、撮影される画像に発生する糸巻型歪曲又は樽型歪曲の程度に関するデータを含む。ズームレンズは、焦点距離が長い側（テレ側）では糸巻型歪曲が生じ、焦点距離が短い側（ワイド側）では樽型歪曲が生ずることがある。これらの歪曲は、一般に、撮影時絞り値を大きくする（絞り込む）と改善される。
【００４０】
イメージサークルデータは、レンズ群２０２が撮像素子１０８の撮像面に鮮鋭な像を結ぶ円の直径に関するデータを含む。イメージサークルは、レンズ２００がどのような画像フォーマット用に設計されているかによっても異なるほか、撮影時の絞り値によっても変化する。例えば、ＡＰＳ−Ｃサイズ（画面長辺２３．７ｍｍ、画面短辺１５．６ｍｍ）の撮像素子１０８をもつカメラボディ１００用に設計されたレンズを、いわゆる３５ミリフルサイズ（画面長辺３６ｍｍ、画面短辺２４ｍｍ）の撮像素子１０８を持つカメラ１００や、３５ｍｍフィルムカメラに使用した場合は、画面サイズに対してイメージサークルが不足し、画面の四隅にケラレが生ずることがある。
【００４１】
光学系状態センサ２０５は、レンズ群２０２の焦点距離及び被写体距離を検出し、レンズＣＰＵ２０３に伝達する。
【００４２】
アクセサリセンサ２０６は、鏡筒２０１の前方、又は、レンズ２００側のマウント２０８とカメラボディ１００側のマウント１０３との間に、アクセサリが装着されたか否か、また、装着されている場合には、そのアクセサリの種類を検出し、レンズＣＰＵ２０３に伝達する。
ここで、アクセサリは、例えば、光学フード、光学フィルタ、接写レンズ、テレコンバータ、ワイドコンバータ、フィッシュアイコンバータ、中間リング、ベローズ等が挙げられる。
【００４３】
アクセサリデータメモリ２０７は、そのレンズ２００に装着される可能性のある上述したアクセサリについて、それら個々の使用可否、それらを装着した場合の鏡筒外形データ、周辺光量低下データ、歪曲収差データ、イメージサークルデータの補正値と、合成焦点距離が変化する場合には、その合成焦点距離とを蓄積したデータベースを記憶する記憶部である。
この、アクセサリデータメモリ２０７は、光学系状態に応じてアクセサリの使用制限が変化する場合には、この使用制限に関するデータを記憶する。この使用制限は、例えば、ズームレンズにおいて、特定の焦点距離範囲においてのみ使用可能であったり、又は、特定の被写体距離においてのみ使用可能といったことである。
なお、アクセサリデータメモリ２０７は、図示しないコネクタ等の通信部を介して、外部よりデータベースの更新ができるようになっている。
【００４４】
マウント２０８は、カメラボディ１００側のマウント１０３とバヨネット結合される被固定部である。また、信号接点２０９は、カメラボディ１００側の信号接点１０４と接触し、レンズＣＰＵ２０３と、カメラＣＰＵ１０１との通信を中継するものである。
【００４５】
ＳＢ３００は、発光部３０１と、ＳＢ中央処理装置（ＣＰＵ）３０２と、ＳＢ状態センサ３０３と、ＳＢ固有データメモリ３０４と、信号接点３０５とを備えている。
【００４６】
発光部３０１は、キセノンガスを封入した放電管と、放電管が生ずる閃光を所望の照射角で被写体へ照射するリフレクタとを有する。なお、発光部３０１は、図示しない回転部を介してＳＢ３００本体に装着され、バウンスのため、画面の上下方向及び左右方向に偏向可能となっている。また、リフレクタは、カメラＣＰＵ１０１から提供されるレンズ焦点距離情報に応じて、その照射角の広狭を変更する機能を備えている。
【００４７】
ＳＢＣＰＵ３０２は、ＳＢ状態センサ３０３からの入力信号に応じて、ＳＢ固有データメモリ３０４から所定の情報を読み出し、カメラＣＰＵ１０１へ伝達する情報処理部である。ＳＢＣＰＵ３０２は、ＳＢ状態センサ３０３及びＳＢ固有データメモリ３０４と、それぞれ信号回線を介して接続され、また、信号接点３０５，１０６及びカメラボディ１００側のＳＢ検出部１０７を介して、カメラＣＰＵ１０１と接続されている。
【００４８】
ＳＢ状態センサ３０３は、発光部３０１が照射する閃光の照射方向及び照射角を検出し、これをＳＢＣＰＵ３０２に伝達するセンサである。
ＳＢ固有データメモリ３０４は、発光部３０１の照射方向及び照射角と、発光部３０１の発光位置との関係を蓄積したデータテーブルと、そのＳＢ３００の種類を特定する識別子とを記憶する記憶部である。
信号接点３０５は、カメラボディ１００側の信号接点１０６と接し、ＳＢＣＰＵ３０２とカメラＣＰＵ１０１との通信を中継するものである。
【００４９】
本実施例のカメラシステムは、以下述べるＳＢ照射光ケラレ表示機能、周辺光量低下表示機能、歪曲表示機能及びイメージサークル表示機能を備えている。以下、機能ごとに詳しく説明する。
（１．ＳＢ照射光ケラレ表示機能）
図２は、ＳＢ照射光ケラレ表示機能を利用したときのＬＣＤ１１０の表示画像の一例を示す図である。
表示画像４００は、文字情報表示部４１０と、画像表示部４２０と、コメント表示部４３０とを含んでいる。
【００５０】
文字情報表示部４１０は、レンズ種類情報４１１、フード種類情報４１２、ＳＢ種類情報４１３、焦点距離情報４１４及び被写体距離情報４１５を表示する。
【００５１】
レンズ種類情報４１１は、自動焦点合わせ（ＡＦ）可否、焦点距離及び開放絞り値を含み、これはレンズ固有データメモリ２０４から、レンズＣＰＵ２０３を介してカメラＣＰＵ１０１に伝達されたレンズ２００の識別子に基づいて表示される。
【００５２】
フード種類情報４１２は、フード２１０の装着有無、さらに装着している場合には、その種類を含み、これはアクセサリセンサ２０６の検出結果に基づいて表示される。
【００５３】
ＳＢ種類情報４１３は、ＳＢ３００の装着有無、さらに装着している場合には、その種類を含み、これは、ＳＢ固有データメモリ３０４から、ＳＢＣＰＵ３０２及びＳＢ検出部１０７を介してカメラＣＰＵ１０１に伝達されたＳＢ３００の識別子に基づいて表示される。
【００５４】
焦点距離情報４１４は、光学系状態センサ２０５が、レンズ群２０２の図示しないズーム用レンズ群の繰出量を検出し、その検出結果が、レンズＣＰＵ２０３を介して、カメラＣＰＵ１０１に伝達されることによって表示される。
【００５５】
被写体距離情報４１５は、光学系状態センサ２０５が、レンズ群２０２の図示しないフォーカス用レンズ群の繰出量を検出し、その検出結果が、レンズＣＰＵ２０３を介して、カメラＣＰＵ１０１に伝達されることによって表示される。
【００５６】
画像表示部４２０は、図中斜線によって示すケラレ画像４２１を表示し、これはＳＢ３００の照射光が、鏡筒２０１及びフード２１０によって遮られた影部が、現在の撮影状態において、どのような形状で、どの程度画面に入るかを示す画像情報である。以下、このケラレ画像４２１の生成方法について説明する。
【００５７】
レンズＣＰＵ２０３は、撮影に先立ち、光学系状態センサ２０５が検出した光学系状態（ズーム用レンズ群、フォーカス用レンズ群それぞれの繰出量）に応じて、レンズ固有データメモリ２０４から鏡筒外形データを読み出し、また、アクセサリセンサ２０６が検出したフード２１０の装着有無、及び、装着されている場合には、その種類に応じて、アクセサリデータメモリ２０７から鏡筒外形データの補正値を読み出して、鏡筒外形データの補正を行う。レンズＣＰＵ２０３において補正がなされた鏡筒外形データは、信号接点２０９、１０４を介して、カメラＣＰＵ１０１に伝達される。
【００５８】
一方、ＳＢＣＰＵ３０２は、ＳＢ状態センサ３０３が検出した発光部３０１の照射方向及び照射角に応じて、ＳＢ固有データメモリ３０４から発光位置を読み出し、これを信号接点３０５、１０６及びＳＢ検出部１０７を介して、カメラＣＰＵ１０１に伝達する。
【００５９】
カメラＣＰＵ１０１は、上述した補正後の鏡筒外形データ、ＳＢ３００の発光位置、及び、レンズ群２０２の焦点距離（画角）に基づいて、ＳＢ３００が生ずる閃光が、鏡筒２０１及びフード２１０によって遮られる影部が、撮像素子１０８の画面上に投影される画像内に映り込むか否かを演算し、移り込む場合には、その影部の形状及び画面上に占める大きさ、位置を演算する。そして、カメラＣＰＵ１０１は、これらの演算結果に基づいて、ケラレ画像情報を生成してＬＣＤ１１０に表示させる。
【００６０】
また、カメラＣＰＵ１０１は、上述したケラレが発生する場合には、コメント表示部４３０に、「注意！斜線部がケラレます！」のような、所定の警告文字情報を表示させる。
【００６１】
（２．周辺光量低下表示機能）
図３は、周辺光量低下表示機能を利用したときのＬＣＤ１１０の表示画像の一例を示す図である。なお、以下述べる各機能において、上述したＳＢ照射光ケラレ表示機能と同様の表示については、同一の符号を付して説明を省略する。
【００６２】
文字情報表示部４１０には、撮影時絞り値情報４１６と、シャッター速度情報４１７とが追加して表示され、撮影者が撮影時絞り値を設定するときに参照できるようにしている。
その理由は、画像上の周辺光量の低下は、一般に撮影時の絞り値に依存し、通常撮影時絞り値を大きくする（絞り込む）ことによって改善されるが、この場合に撮像素子１０８が同等の露光を得るためには、シャッター速度を遅く（露光時間を長く）しなければならない反面、シャッター速度を遅くすると、ブレの原因となるから、撮影者が注意するか、又は、三脚等にカメラシステムを固定するといった配慮が要求されるからである。
【００６３】
画像表示部４２０は、周辺光量低下画像４２２を表示し、これは撮影される画像上における周辺光量低下の態様を示すものである。以下、この周辺光量低下画像４２２の生成方法について説明する。
【００６４】
撮影状態検出部１０２は、撮影者又は周知の自動露出（ＡＥ）制御によって設定された撮影時絞り値を検出し、カメラＣＰＵ１０１及びレンズＣＰＵ２０３に伝達する。
一方、光学系状態センサ２０５は、ズーム用レンズ群の繰出量を検出し、レンズＣＰＵ２０３に伝達し、これによってレンズＣＰＵ２０３は、レンズ群２０２の焦点距離を認識する。
レンズＣＰＵ２０３は、レンズ固有データメモリ２０４から、撮影時絞り値及び焦点距離に対応する周辺光量データを読み出し、カメラＣＰＵ１０１に伝達する。
【００６５】
カメラＣＰＵ１０１は、上述した周辺光量データに基づいて、画面上の位置毎の周辺光量の低下度合いを、例えば、像の濃度（ＬＣＤ輝度）によって表現する周辺光量低下画像を生成してＬＣＤ１１０に表示させる。
【００６６】
また、カメラＣＰＵ１０１は、上述した周辺光量低下が発生する場合には、コメント表示部４３０に、「注意！周辺部光量が低下します！」のような、所定の警告文字情報を表示させ、併せて、「Ｆ５．６以上に絞ることを推奨します」のような、周辺光量低下を改善するために撮影時絞り値を増加させることを促す文字情報を表示させる。
【００６７】
（３．歪曲表示機能）
図４は、歪曲表示機能を利用したときのＬＣＤ１１０の表示画像の一例を示す図である。
歪曲表示機能でも、周辺光量低下表示機能と同様に、撮影時絞り値情報４１６と、シャッター速度情報４１７とが表示されている。
その理由は、歪曲収差は、上述した周辺光量低下と同様に、撮影時絞り値を大きくすることによって改善されるので、撮影者がシャッター速度を参照しながら撮影時絞り値を設定できるようにするためである。
【００６８】
画像表示部４２０は、歪曲画像４２３を表示し、これは、撮影される画像に生ずる歪曲収差の態様及び程度を表示するものである。歪曲画像４２３は、例えば、糸巻型歪曲又は樽型歪曲を示す歪曲した格子模様として表示されている。なお、図４の歪曲画像４２３は、糸巻型歪曲を示している。
ここで、実際には歪曲は微小なものであるから、歪曲画像４２３は、撮影者が理解しやすいように、歪曲を誇張して表示するものであってもよい。以下、この歪曲画像４２３の生成方法について説明する。
【００６９】
撮影状態検出部１０２は、撮影時絞り値を、カメラＣＰＵ１０１及びレンズＣＰＵ２０３に伝達し、また、レンズＣＰＵ２０３は、レンズ群２０２の焦点距離を認識する。
そして、レンズＣＰＵ２０３は、レンズ固有データメモリ２０４から、撮影時絞り値及び焦点距離に対応する歪曲収差データを読み出して、カメラＣＰＵ１０１に伝達する。
【００７０】
カメラＣＰＵ１０１は、上述した歪曲収差データに基づいて、上述した歪曲画像４２３を生成し、ＬＣＤ１１０に表示させる。
【００７１】
また、カメラＣＰＵ１０１は、上述した歪曲が発生する場合には、コメント表示部４３０に、「注意！糸巻型歪曲が発生します！」のような、所定の警告文字情報を表示させ、併せて、「Ｆ６．７以上に絞ることを推奨します」のような、歪曲を改善するために撮影時絞り値を増加させることを促す文字情報を表示させる。
【００７２】
（４．イメージサークル表示機能）
図５は、イメージサークル表示機能を利用したときのＬＣＤ１１０の表示画像の一例を示す図である。イメージサークル表示機能でも、撮影時絞り値情報４１６と、シャッター速度情報４１７とが表示されている。
その理由は、イメージサークルは、撮影時絞り値に応じて変化するので、撮影者がシャッター速度を参照しながら撮影時絞り値を設定できるようにするためである。
【００７３】
画像表示部４２０は、イメージサークル画像４２４を表示し、これは、撮影される画像のサイズに対し、レンズ群２０２のイメージサークルが不足する場合に、イメージサークル外となる部分の濃度（ＬＣＤ輝度）を異ならせて表現された画像である。以下、このイメージサークル画像４２４の生成方法について説明する。
【００７４】
撮影状態検出部１０２は、撮影時絞り値を、カメラＣＰＵ１０１及びレンズＣＰＵ２０３に伝達する。カメラＣＰＵ２０３は、レンズ固有データメモリ２０４から、この撮影時絞り値に対応するイメージサークルデータを読み出し、これをカメラＣＰＵ１０１に伝達する。カメラＣＰＵ１０１は、上述したイメージサークルデータに基づいて、上述したイメージサークル画像を生成してＬＣＤ１１０に表示させる。
【００７５】
また、カメラＣＰＵ１０１は、コメント表示部４３０に、「注意！イメージサークルが不足します！斜線部分にケラレが発生します！」のような、所定の警告文字情報を表示させる。
【００７６】
（変形例）
なお、本発明は、上述した実施例によって限定されるものではなく、種々の変形や変更が可能であって、それらも本発明の均等の範囲内である。
（１）  本実施例は、デジタルスチルカメラであるが、フィルムカメラや、ムービー（動画）カメラであってもよい。特にフィルムカメラにおいては、撮影画像を撮影直後に確認することができないため、本発明が有用である。
（２）  本実施例のレンズ２００は、アクセサリセンサ２０６によって、自動的にアクセサリの装着有無及びその種類を検出しているが、使用するレンズ２００に装着可能なアクセサリの一覧を、アクセサリデータメモリ２０７から、カメラＣＰＵ１０１によって読み出し、その一覧をＬＣＤ１１０等に表示するようにしてもよい。このとき、撮影者自身の操作によって、アクセサリの装着有無を入力するようにすると、アクセサリセンサ２０６は不要となり、システムを簡単化することができる。
（３）  本実施例は、画像状況表示をＬＣＤ１１０に表示したが、ファインダ内にインポーズ表示するようにしてもよい。
（４）  本実施例のＳＢ３００は、カメラボディ１００に外付けされるものであるが、ＳＢをカメラ内臓のものとしてもよい
（５）  レンズがズームレンズではなく、単焦点レンズの場合は、光学系状態センサではなく、上述したレンズの識別子に応じてレンズＣＰＵが焦点距離を認識するようにしてもよい。
（６）  本実施例は、レンズ交換式のカメラであったが、レンズ固定式のカメラであってもよい。
（７）  本実施例のファインダは、光学式ファインダであるが、電子式ビューファインダを用いてもよい。
（８）  本実施例のイメージサークル表示機能は、撮像素子のサイズに対してイメージサークルが小さいレンズを使用するときにイメージサークル表示をするものであったが、チルト又はシフトが可能なパースペクティブコントロール（ＰＣ）レンズにおいて、過大なチルト量又はシフト量に起因してイメージサークルが不足するときにイメージサークル表示をしてもよい。この場合、ＰＣレンズの光学系状態センサは、そのチルト量又はシフト量を検出する機能を備えるとよい。
【図面の簡単な説明】
【００７７】
【図１】本発明を適用したカメラシステムの実施例の構成を示す図である。
【図２】ＳＢ照射光ケラレ表示機能を利用したときのＬＣＤの表示画像の一例を示す図である。
【図３】周辺光量低下表示機能を利用したときのＬＣＤの表示画像の一例を示す図である。
【図４】歪曲表示機能を利用したときのＬＣＤの表示画像の一例を示す図である。
【図５】イメージサークル表示機能を利用したときのＬＣＤの表示画像の一例を示す図である。
【符号の説明】
【００７８】
１００  カメラボディ
１０１  カメラＣＰＵ
１０２  撮影状態検出部
１０３  マウント
１０４  信号接点
１０５  アクセサリシュー
１０６  信号接点
１０７  ＳＢ検出部
１０８  撮像素子
１０９  ファインダ表示部
１１０  ＬＣＤ
１１１  外部記憶媒体
１１２  コネクタ
２００  レンズ
２０１  鏡筒
２０２  レンズ群
２０３  カメラＣＰＵ
２０４  レンズ固有データメモリ
２０５  光学系状態センサ
２０６  アクセサリセンサ
２０７  アクセサリデータメモリ
２０８  マウント
２０９  信号接点
３００  ＳＢ
３０１  発光部
３０２  ＳＢＣＰＵ
３０３  ＳＢ状態センサ
３０４  ＳＢ固有データメモリ
３０５  信号接点
４００  表示画像
４１０  文字情報表示部
４１１  レンズ種類情報
４１２  フード種類情報
４１３  ＳＢ種類情報
４１４  焦点距離情報
４１５  被写体距離情報
４１６  撮影時絞り値情報
４１７  シャッター速度情報
４２０  画像表示部
４２１  ケラレ画像
４２２  周辺光量低下画像
４２３  歪曲画像
４２４  イメージサークル画像
４３０  コメント表示部
【図１】
2005258202.tif 000003
【図２】
2005258202.tif 000004
【図３】
2005258202.tif 000005
【図４】
2005258202.tif 000006
【図５】
2005258202.tif 000007